(57)【要約】【課題】自立角度を変えることで、従来のように手に持たずに、あるいは、変形自在な連結部等を屈曲調整せずに、照明方向を複数に変更できる照明器具を提供する。【解決手段】照明器具１０において、前面１３に光源部１４を有するとともに筐体下部１８に電池１９および電池１９の電力を光源部１４へ供給する電源回路部２０を有し筐体下面に設けた直立支持部３９を載置面に接して直立する筐体１１と、筐体下面に連続する第一連続面４３に設けられ載置面に接して直立支持部３９の先端部４４とによって筐体１１を第一前傾姿勢で自立させる第一前傾支持部４５と、第一連続面４３に連続する第二連続面４７に設けられ載置面に接して第一前傾支持部４５とによって筐体１１を第一前傾姿勢より大きい前傾角度の第二前傾姿勢で自立させる第二前傾支持部４８と、を設けた。【選択図】図３
2012160326.tif 000002
【特許請求の範囲】
【請求項１】
筐体上部の前面に光源部を有するとともに筐体下部に電池および該電池の電力を前記光源部へ供給する電源回路部を有し筐体下面に設けた直立支持部を載置面に接して直立する筐体と、
前記筐体下面に連続する第一連続面に設けられ前記載置面に接して前記直立支持部の先端部とによって前記筐体を第一前傾姿勢で自立させる第一前傾支持部と、
前記第一連続面に連続する第二連続面に設けられ前記載置面に接して前記第一前傾支持部とによって前記筐体を前記第一前傾姿勢より大きい前傾角度の第二前傾姿勢で自立させる第二前傾支持部と、を具備する照明器具。
【請求項２】
請求項１に記載の照明器具において、
前記直立支持部が、前記筐体の前後方向に長い一対の平行なレール部で形成される照明器具。
【請求項３】
請求項１または請求項２に記載の照明器具において、
前記第一前傾支持部が、前記筐体の左右方向に長い一本のリブで形成される照明器具。
【請求項４】
請求項３に記載の照明器具において、
前記第二前傾支持部が、前記筐体の前方に突出し前記リブと平行な突出先端縁部で形成される照明器具。
【請求項５】
請求項１ないし請求項４のうちのいずれか１項に記載の照明器具において、
前記筐体上部に把手孔が設けられる照明器具。
【請求項６】
請求項１ないし請求項５のうちのいずれか１項に記載の照明器具において、
前記筐体上部が前後方向に薄い扁平形状に形成され、
前記光源部が前記前面に沿って複数の半導体発光素子を有する照明器具。
【請求項７】
請求項１ないし請求項６のうちのいずれか１項に記載の照明器具において、
筐体下部の前後方向の厚みが筐体上部の前後方向の厚みよりも厚く形成される照明器具。
【発明の詳細な説明】
【技術分野】
【０００１】
本発明は、自立型の照明器具に関するものである。
【背景技術】
【０００２】
充電式で、発光部を使用者の用途に応じて使用できる照明器具が提案されている（例えば特許文献１，２参照）。特許文献１の照明装置は、図１０に示すように、通常の使用の際には、載置部１００から上方に延びる支持部１０１に灯体１０２を支持した状態で、灯体１０２に設けられた光源部１０３を点灯させる。このことにより下方（載置部に向かう方向）を照らして通常の電気スタンドとして使用できる。また、灯体１０２を支持部１０１から取り外して懐中電灯として使用できる。
【０００３】
一方、停電時等の非常の際には、灯体１０２に内蔵されている充電部を常時充電しておくことにより、光源部１０３の補助光源１０４を点灯できる。補助光源光軸１０５は、下方を照らしている主光源１０６の主光源光軸１０７と交差する方向、すなわち例えば水平方向に向いているため、停電時等の暗闇においても容易に灯体１０２の位置を視認できる。なお、補助光源１０４は、非常時に点灯させるものであるが、通常時においても点灯させるようにしてもよい。
【０００４】
また、特許文献２の照明装置は、発光部１０８と、一端がこの発光部１０８に接続されるとともに、変形自在であって形状保持力を有する連結部１０９と、この連結部１０９の他端に接続される略柱状の本体１１０と、を備える。また、この本体１１０の内部に収納される充電可能な不図示の蓄電部と、凹部１１１を有し、この凹部１１１に本体１１０が挿入可能な台座部１１２と、商用電源からの電力を台座部１１２に給電する給電部１１３と、を備える。本体１１０が台座部１１２から取り外された際には、蓄電部によって発光部１０８の点灯が可能である。本体１１０が台座部１１２に接続された際には、給電部１１３からの給電によって発光部１０８の点灯が可能となっている。
【先行技術文献】
【特許文献】
【０００５】
【特許文献１】特開２００７−３３５２８２号公報（請求項１、図１、段落００１４）
【特許文献２】特開２００５−３１０４９６号公報（請求項１、図３、段落００１１）
【発明の概要】
【発明が解決しようとする課題】
【０００６】
しかしながら、特許文献１の照明装置は、灯体１０２を支持部１０１から取り外して懐中電灯として使用する場合、自立させることができなかった。このため、照明光を所望の方向に向けたままに保持することができなかった。また、特許文献２の照明装置は、照明光を所望の方向に向けたいときには、変形自在な連結部１０９を屈曲調整しなければならない煩わしさがあった。
【０００７】
本発明は上記状況に鑑みてなされたもので、その目的は、自立角度を変えることで、従来のように手に持たずに、あるいは、変形自在な連結部等を屈曲調整せずに、照明方向を複数に変更できる照明器具を提供することにある。
【課題を解決するための手段】
【０００８】
本発明の照明器具は、筐体上部の前面に光源部を有するとともに筐体下部に電池および該電池の電力を前記光源部へ供給する電源回路部を有し筐体下面に設けた直立支持部を載置面に接して直立する筐体と、前記筐体下面に連続する第一連続面に設けられ前記載置面に接して前記直立支持部の先端部とによって前記筐体を第一前傾姿勢で自立させる第一前傾支持部と、前記第一連続面に連続する第二連続面に設けられ前記載置面に接して前記第一前傾支持部とによって前記筐体を前記第一前傾姿勢より大きい前傾角度の第二前傾姿勢で自立させる第二前傾支持部と、を具備するものである。
【０００９】
そして、本発明の照明器具は、前記直立支持部が、前記筐体の前後方向に長い一対の平行なレール部で形成されるものである。
【００１０】
また、本発明の照明器具は、前記第一前傾支持部が、前記筐体の左右方向に長い一本のリブで形成されるものである。
【００１１】
さらに、本発明の照明器具は、前記第二前傾支持部が、前記筐体の前方に突出し前記リブと平行な突出先端縁部で形成されるものである。
【００１２】
また、本発明の照明器具は、前記筐体上部に把手孔が設けられるものである。
【００１３】
また、本発明の照明器具は、前記筐体上部が前後方向に薄い扁平形状に形成され、前記光源部が前記前面に沿って複数の半導体発光素子を有するものである。
【００１４】
また、本発明の照明器具は、筐体下部の前後方向の厚みが筐体上部の前後方向の厚みよりも厚く形成されるものである。
【発明の効果】
【００１５】
本発明に係る照明器具によれば、直立姿勢、第一前傾姿勢、第二前傾姿勢の複数の角度で自立が可能となり、自立角度を変えることで、従来のように手に持たずに、あるいは、変形自在な連結部等を屈曲調整せずに、照明方向を三段階に照らし分けできる。
【図面の簡単な説明】
【００１６】
【図１】本発明に係る照明器具の斜視図
【図２】図１に示した照明器具の正面図
【図３】図２に示した照明器具のＤ−Ｄ矢視図
【図４】（Ａ）は図１に示したスイッチ部の正面図であり、（Ｂ）は（Ａ）のＥ−Ｅ矢視図であり、（Ｃ）は（Ａ）のＦ−Ｆ矢視図
【図５】（Ａ）は全点灯した場合の光源部の正面図であり、（Ｂ）は減光点灯した場合の光源部の正面図
【図６】図１に示した照明器具の背面図
【図７】図１に示した照明器具の下面図
【図８】重心位置を示した照明器具の側面図
【図９】（Ａ）は照明器具の直立した場合の側面図であり、（Ｂ）は照明器具の第一前傾姿勢となった場合の側面図であり、（Ｃ）は照明器具の第二前傾姿勢となった場合の側面図
【図１０】従来の照明器具の斜視図
【図１１】他の従来の照明器具の斜視図
【発明を実施するための形態】
【００１７】
以下、本発明の照明器具の実施形態について、図面を用いて説明する。
図１は本発明に係る照明器具の斜視図、図２は図１に示した照明器具の正面図、図３は図２に示した照明器具のＤ−Ｄ矢視図である。
照明器具１０は、縦長の筐体１１が直立して自立する。筐体１１は、筐体上部１２の前面１３に光源部１４を有する。光源部１４は、前面１３に沿って複数の半導体発光素子を有する。個々の半導体発光素子は、例えば四角形状に形成され、縦横に複数個が配列されている。本実施形態では、横に４個、縦に４個の合計１６個の半導体発光素子が設けられる。半導体発光素子は、ＬＥＤ１５からなるが、ＥＬ（エレクトロルミネセント）であってもよい。
【００１８】
光源部１４の周囲は、光源部１４を底面とした斜面となる。この斜面は、シボ加工面１６となっている。斜面はシボ加工が施されることで、光源部１４からの出射光を拡散反射させるリフレクタとなる。
なお、図２では、シボ加工面１６を左側のみに示し、右側は図示を省略している。
【００１９】
ＬＥＤ１５は、不図示の実装基板に実装される。ＬＥＤチップとしては、青色光（λ≒４００〜４６０ｎｍ）を放射するＧａＮ系青色半導体発光素子が好適に用いられる。ＬＥＤチップは、実装基板に設けられた回路部に電極がワイヤにて接続される。ＬＥＤチップ、ワイヤはシリコーン樹脂からなる薄型レジンにより覆われる。薄型レジンは、空気層を介してさらに蛍光体キャップによって覆われる。
【００２０】
例えばＬＥＤ１５が白色仕様の場合、蛍光体キャップは、緑色蛍光体、黄色蛍光体、赤色蛍光体を透光性シリコーン樹脂に分散した後、硬化させて形成されている。この蛍光体キャップによって、ＬＥＤチップからの一部の青色光が、緑色光（λ≒５４０〜５６５ｎｍ）、黄色光（λ≒５６０〜５８０ｎｍ）、赤色光（λ≒６８０〜７２０ｎｍ）に変換され、これらの光が混ざり合って白色光が生成される。
【００２１】
筐体上部１２は、前後方向に薄い扁平形状に形成される。筐体上部１２には矩形状の把手孔１７が設けられる。照明器具１０は、この把手孔１７に手指を入れたり、フックに引っ掛けたりする等して筐体１１を保持でき、カンテラやランタンとしての使用が可能となっている。
【００２２】
筐体下部１８の前後方向の厚みは、筐体上部１２の前後方向の厚みよりも厚く形成される。これにより、照明器具１０は、筐体下部１８に、筐体上部１２に比べ大きな収容空間を確保でき、電池１９や電源回路部２０を収容することが可能となっている。
【００２３】
図４（Ａ）は図１に示したスイッチ部２１の正面図であり、（Ｂ）は（Ａ）のＥ−Ｅ矢視図であり、（Ｃ）は（Ａ）のＦ−Ｆ矢視図、図５（Ａ）は全点灯した場合の光源部１４の正面図であり、（Ｂ）は減光点灯した場合の光源部１４の正面図である。
照明器具１０は、図１に示した一方の側面２２の下部に充電コード２３のジャック２４を差し込む充電口２５が設けられている。充電コード２３は、一端のプラグ２６を不図示のコンセントに差し込み、ジャック２４を充電口２５に差し込むことで、商用電源が電源回路部２０に供給される。
【００２４】
電源回路部２０には、充電口２５と、スイッチ部２１と、送電表示ランプ２８と、電池１９と、制御部２９と、が接続される。スイッチ部２１は、前面１３の上下方向略中央に配置される。図４（Ａ）に示すように、スイッチ部２１は、筐体１１に形成された横長の矩形孔３０にスライドボタン３１がスライド自在に設けられる。図４（Ｂ）に示すように、スライドボタン３１の背面には一対の係止脚部３２が突出される。図４（Ｃ）に示すように、係止脚部３２は、筐体１１の裏面に突出する一対の平行なガイド板３３に係止してスライド自在となって矩形孔３０から抜け止めされる。
【００２５】
スイッチ部２１は、スライドボタン３１のスライドによって３つの位置（ポジション）に設定される。この３つの位置は、図４（Ａ）に示した中央位置（ＣＰ）と、左位置（ＬＰ）と、右位置（ＲＰ）となる。スイッチ部２１の下方には、送電表示ランプ２８が設けられる。送電表示ランプ２８は、制御部２９に商用電源が供給されている状態で点灯される。
【００２６】
電源回路部２０は、制御部２９にスライドボタン３１が接続されることで、点灯状態の切替が行われる。電源回路部２０は、スライドボタン３１の設定位置によって給電遮断時（停電時等）の表示状態が選択される。表示状態の選択は、停電時、例えばスライドボタン３１が中央位置であると、ＬＥＤ１５は点灯されない。スライドボタン３１が右位置であると、図５（Ａ）に示す全点灯され、スライドボタン３１が左位置であると、図５（Ｂ）に示す減光点灯（間引き点灯）となる。
なお、図例の間引きパターンは一例であり、間引きのパターンは任意であってよい。
【００２７】
送電状態で、スライドボタン３１が左右いずれかの位置であると、ＬＥＤ１５が消灯され、送電表示ランプ２８のみが点灯された状態となる。この状態で停電になると、送電表示ランプ２８が消灯され、ＬＥＤ１５がスライドボタン３１の位置する選択光量で点灯される。また、スライドボタン３１が中央位置で、充電コード２３が抜かれても、送電表示ランプ２８が消灯される。この場合、スライドボタン３１が左右いずれかにスライドされていると、ＬＥＤ１５がスライドボタン３１によって選択された光量で点灯される。これにより、通常の懐中電灯、カンテラ、ランタン等としての持ち運びによる使用が可能となる。
【００２８】
なお、送電状態においても、スライドボタン３１が左右いずれかにスライドされると、送電表示ランプ２８と共にＬＥＤ１５が点灯される。この場合、電源回路部２０は、低周波交流を全波整流器および平滑コンデンサにより平滑化された直流に変換し、さらに不図示の高周波インバータによって直流を高周波に変換することで、ＬＥＤ１５を高周波で駆動可能とする。
また、電源回路部２０は、この状態で同時に電池１９への充電も行う。電源回路部２０は、ＬＥＤ１５と送電表示ランプ２８を駆動する回路に送電時に接点開となり、電源遮断時に接点閉となるリレー等を組み込む。これにより、送電時にはＬＥＤ１５を消灯、送電表示ランプ２８を点灯し、停電時にはＬＥＤ１５を点灯、送電表示ランプ２８を消灯させることができる。
【００２９】
図６は図１に示した照明器具１０の背面図である。
筐体１１は、ケース本体３４に前面１３が形成される。ケース本体３４は、後方がケース開口部３５となる。このケース開口部３５は、複数のビス３６によってケース本体３４に固定される後蓋３７によって塞がれる。つまり、筐体１１は、ケース本体３４に後蓋３７が取り付けられて、電池１９や電源回路部２０を収容する収容空間が形成されている。
【００３０】
後蓋３７は平板状に形成される一方、ケース本体３４は下方が前方に突出される。これにより、筐体１１は、前述のように筐体下部１８に大きな収容空間を確保して電池１９や電源回路部２０の収容を可能としている。筐体１１は、角部に丸みを設けた見栄えのよい外形状を有している。また、筐体１１は、筐体上部１２を扁平とし、筐体下部１８に大きな収容空間を設けることで安定感を生じさせ、美観、機能の双方を満足する形状となっている。
【００３１】
図７は図１に示した照明器具１０の下面図、図８は重心位置を示した照明器具１０の側面図である。
照明器具１０は、筐体下面３８に設けた直立支持部３９を載置面４０（図９参照）に接して直立する。直立支持部３９は、筐体１１の左右に一定の間隔Ｓを有し、筐体１１の前後方向に長い一対の平行なレール部４１で形成される。筐体１１は、一対の平行なレール部４１に囲まれる四角形領域に重心４２が位置することで自立可能となる。また、直立支持部３９がレール部４１となることで、直立支持部３９が点状の場合に発生する載置面４０の凹部等への落ち込みが防止でき、自立の安定性が高められている。
【００３２】
筐体１１は、筐体下面３８に連続する第一連続面４３が形成される。本実施形態では、この第一連続面４３は凸曲面で形成される。第一連続面４３は、この他、平面、凹曲面とすることもできる。但し、本実施形態のように凸曲面とすることにより、後述の前傾姿勢へ移行させる際の動作をスムースにできる。第一連続面４３には、載置面４０に接してレール部４１の先端部４４とによって筐体１１を、第一前傾姿勢で自立させる第一前傾支持部４５が設けられている。
【００３３】
第一前傾支持部４５は、筐体１１の左右方向に長い一本のリブ４６で形成される。照明器具１０は、第一前傾姿勢のとき、直立支持部３９の先端部４４と、第一前傾支持部４５とで筐体１１が自立する。この場合、筐体１１は、三点支持によって自立する。第一前傾支持部４５が筐体１１の左右方向に長いリブ４６となっていることで、重心４２の設定可能範囲が、リブ４６の長さに比例して広くなり、自立の安定性が高められるようになっている。
【００３４】
第一連続面４３には第二連続面４７が連続して設けられる。この第二連続面４７も、第一連続面４３と同様に凸曲面で形成される。第二連続面４７も、この他、平面、凹曲面とすることもできるが、凸曲面とすることにより、前傾姿勢へ移行させる際の動作をスムースにできる。第二連続面４７には、載置面４０に接して第一前傾支持部４５とによって筐体１１を第一前傾姿勢より大きい前傾角度の第二前傾姿勢で自立させる第二前傾支持部４８が形成される。
【００３５】
本実施形態において、第二前傾支持部４８は、筐体１１の前方に突出しリブ４６と平行な突出先端縁部４９で形成される。
すなわち、第二前傾姿勢のとき、第一前傾支持部４５と、突出先端縁部４９とで筐体１１が自立する。この際に載置面４０に接触する第二前傾支持部４８が突出先端縁部４９となることで、専用支持部を形成することなく、筐体１１の形状を利用して、外観デザインの見栄えをよくしている。
【００３６】
なお、照明器具１０を物体として捉えた場合、その物体は小さな分子で構成され、それぞれの分子には重力が作用している。これらの重力が１点に集中して働く作用点が重心４２となる。重心４２は、常に一定の点で、物体の位置や置き方を変えても位置は変わらない。目安による重心４２の求め方として、照明器具１０を１点で吊った時、その鉛直線は必ず物体の重心４２を通る。照明器具１０の互いに異なる任意の箇所を吊り、 その作用線の交点を求めると照明器具１０の重心４２が求められる。
【００３７】
次に、上記構成を有する照明器具１０の作用を説明する。
図９（Ａ）は照明器具１０の直立した場合の側面図であり、（Ｂ）は照明器具１０の第一前傾姿勢となった場合の側面図であり、（Ｃ）は照明器具１０の第二前傾姿勢となった場合の側面図である。
照明器具１０は、図９（Ａ）に示すように、通常、テーブル等の水平な載置面４０に直立姿勢に置かれて使用される。照明器具１０は、直立支持部３９の前後範囲と、直立支持部３９の先端部４４および第一前傾支持部４５の前後範囲と、第一前傾支持部４５および第二前傾支持部４８の前後範囲と、のいずれの内側にも重心４２が配置されるよう重心４２の位置が設定されている。図例では、それぞれの姿勢における前後範囲を、平行な一対の後方鉛直仮想線５０と前方鉛直仮想線５１とで示している。ここで、鉛直方向とは、重力の作用する方向である。
【００３８】
これにより、図９（Ａ）に示す直立姿勢、図９（Ｂ）に示す第一前傾姿勢、図９（Ｃ）に示す第二前傾姿勢の複数の角度で自立が可能となる。
なお、照明器具１０は、仮に、いずれかの姿勢において、後方鉛直仮想線５０や前方鉛直仮想線５１の外側に重心４２が外れれば、その外側に回転するモーメントが生じて転倒することとなる。
【００３９】
照明器具１０は、停電時等、ＬＥＤ１５が点灯された状態では、直立姿勢でＬＥＤ１５からの照明光ＳＬが図９（Ａ）に示すように、水平照射される。また、第一前傾姿勢では、図９（Ｂ）に示すように、ＬＥＤ１５からの照明光ＳＬがテーブルの作業域全体に照射される。第二前傾姿勢では、図９（Ｃ）に示すように、ＬＥＤ１５からの照明光ＳＬが手元に照射されることになる。
【００４０】
照明器具１０では、光源部１４を備えた筐体上部１２が薄厚となることで、異なる複数の角度での自立を可能にしながら、かつ、照射範囲を大きく確保できる。仮に、筐体上部１２が肉厚のブロック体であれば、照射範囲を大きく確保できても、異なる複数の前傾角度で自立を可能にすることが困難となる。
【００４１】
照明器具１０では、筐体上部１２を薄厚とし、筐体下部１８を厚くすることで、筐体下部１８に、筐体上部１２に比べ大きな収容空間を確保でき、電池１９や電源回路部２０を収容することが可能となる。これにより、質量の大きい部材を筐体下部１８に集中させて配置でき、重心位置の設定が容易となる。つまり、自立角度を変えてもバランスを保つことが容易となる。また、筐体下部１８を厚くして電池１９や電源回路部２０の収容を確保にすることで、筐体上部１２を薄厚にできる効果も奏する。
【００４２】
従って、本実施形態に係る照明器具１０によれば、直立姿勢、第一前傾姿勢、第二前傾姿勢の複数の角度で自立が可能となる。これにより、自立角度を変えることで、従来のように手に持たずに、あるいは、変形自在な連結部等を屈曲調整せずに、照明方向を三段階に照らし分けできる。
【符号の説明】
【００４３】
１０  照明器具
１１  筐体
１２  筐体上部
１３  前面
１４  光源部
１７  把手孔
１８  筐体下部
１９  電池
２０  電源回路部
３８  筐体下面
３９  直立支持部
４０  載置面
４１  レール部
４３  第一連続面
４４  先端部
４５  第一前傾支持部
４６  リブ
４７  第二連続面
４８  第二前傾支持部
４９  突出先端縁部
【図１】
2012160326.tif 000003
【図２】
2012160326.tif 000004
【図３】
2012160326.tif 000005
【図４】
2012160326.tif 000006
【図５】
2012160326.tif 000007
【図６】
2012160326.tif 000008
【図７】
2012160326.tif 000009
【図８】
2012160326.tif 000010
【図９】
2012160326.tif 000011
【図１０】
2012160326.tif 000012
【図１１】
2012160326.tif 000013